(57)【要約】【課題】本発明は、ダイジェストシーンとして相応しい映像中のシーンを含み、且つ、予め決められた時間内に収まるダイジェスト映像の作成を効率的に実行できるようにする新たなダイジェスト映像作成技術の提供を目的とする。【解決手段】入力した映像の中から、任意の方法により、ダイジェスト映像として相応しい意味的に重要な単数または複数のシーン区間を選択する。そして、作成したいダイジェスト映像の時間長の値を予め設定しておき、その値とその選択した意味的に重要なシーン区間の合計時間長とを比較して、その比較結果によって、シーン区間を更に追加したり、逆に一度選択したシーン区間の中から部分的にシーン区間を削除することにより、ダイジェスト映像の時間長がちょうど予め設定した値と同じになるようにダイジェストシーンを定義することでダイジェスト映像を作成する。【選択図】図１
2006148397.tif 000002
【特許請求の範囲】
【請求項１】
入力した映像のダイジェスト映像を作成するダイジェスト映像作成装置であって、
入力した映像中の任意の単数または複数のシーン区間をダイジェストシーン候補として選択する選択部と、
入力した映像からダイジェストらしさを示すダイジェスト特徴量を取得する取得部と、
作成するダイジェスト映像の時間長と前記選択部で選択されたダイジェストシーン候補の合計時間長とを比較して、その２つが一致しない場合には、その２つが一致することになるようにと、前記取得部で取得されたダイジェスト特徴量を使って、入力した映像の中から新たなシーン区間部分を選択して追加するか、そのダイジェストシーン候補の中から削除するシーン区間部分を選択して削除することでダイジェストシーンを定義し、一方、その２つが一致する場合には、前記選択部で選択されたダイジェストシーン候補をそのままダイジェストシーンとして定義する定義部と、
前記定義部で定義されたダイジェストシーンを、入力した映像のダイジェスト映像として出力する出力部とを備えることを、
特徴とするダイジェスト映像作成装置。
【請求項２】
入力した映像のダイジェスト映像を作成するダイジェスト映像作成方法であって、
入力した映像中の任意の単数または複数のシーン区間をダイジェストシーン候補として選択する選択ステップと、
入力した映像からダイジェストらしさを示すダイジェスト特徴量を取得する取得ステップと、
作成するダイジェスト映像の時間長と前記選択ステップで選択されたダイジェストシーン候補の合計時間長とを比較して、その２つが一致しない場合には、その２つが一致することになるようにと、前記取得ステップで取得されたダイジェスト特徴量を使って、入力した映像の中から新たなシーン区間部分を選択して追加するか、そのダイジェストシーン候補の中から削除するシーン区間部分を選択して削除することでダイジェストシーンを定義し、一方、その２つが一致する場合には、前記選択ステップで選択されたダイジェストシーン候補をそのままダイジェストシーンとして定義する定義ステップと、
前記定義ステップで定義されたダイジェストシーンを、入力した映像のダイジェスト映像として出力する出力ステップとを備えることを、
特徴とするダイジェスト映像作成方法。
【請求項３】
入力した映像のダイジェスト映像を作成するダイジェスト映像作成プログラムであって、
入力した映像中の任意の単数または複数のシーン区間をダイジェストシーン候補として選択する選択処理と、
入力した映像からダイジェストらしさを示すダイジェスト特徴量を取得する取得処理と、
作成するダイジェスト映像の時間長と前記選択処理で選択されたダイジェストシーン候補の合計時間長とを比較して、その２つが一致しない場合には、その２つが一致することになるようにと、前記取得処理で取得されたダイジェスト特徴量を使って、入力した映像の中から新たなシーン区間部分を選択して追加するか、そのダイジェストシーン候補の中から削除するシーン区間部分を選択して削除することでダイジェストシーンを定義し、一方、その２つが一致する場合には、前記選択処理で選択されたダイジェストシーン候補をそのままダイジェストシーンとして定義する定義処理と、
前記定義処理で定義されたダイジェストシーンを、入力した映像のダイジェスト映像として出力する出力処理とをコンピュータに実行させるためのダイジェスト映像作成プログラム。
【請求項４】
入力した映像のダイジェスト映像を作成するダイジェスト映像作成プログラムを記録したコンピュータ読み取り可能な記録媒体であって、
入力した映像中の任意の単数または複数のシーン区間をダイジェストシーン候補として選択する選択処理と、
入力した映像からダイジェストらしさを示すダイジェスト特徴量を取得する取得処理と、
作成するダイジェスト映像の時間長と前記選択処理で選択されたダイジェストシーン候補の合計時間長とを比較して、その２つが一致しない場合には、その２つが一致することになるようにと、前記取得処理で取得されたダイジェスト特徴量を使って、入力した映像の中から新たなシーン区間部分を選択して追加するか、そのダイジェストシーン候補の中から削除するシーン区間部分を選択して削除することでダイジェストシーンを定義し、一方、その２つが一致する場合には、前記選択処理で選択されたダイジェストシーン候補をそのままダイジェストシーンとして定義する定義処理と、
前記定義処理で定義されたダイジェストシーンを、入力した映像のダイジェスト映像として出力する出力処理とをコンピュータに実行させるためのダイジェスト映像作成プログラムを記録したコンピュータ読み取り可能な記録媒体。
【発明の詳細な説明】
【技術分野】
【０００１】
本発明は、入力した映像の中から特定のシーンを選択することでダイジェスト映像を作成するダイジェスト映像作成方法及びその装置と、そのダイジェスト映像作成方法の実現に用いられるダイジェスト映像作成プログラム及びそのプログラムを記録したコンピュータ読み取り可能な記録媒体とに関し、特に、ダイジェストシーンとして相応しい映像中のシーンを効率的に選択してダイジェスト映像を作成できるようにするダイジェスト映像作成方法及びその装置と、そのダイジェスト映像作成方法の実現に用いられるダイジェスト映像作成プログラム及びそのプログラムを記録したコンピュータ読み取り可能な記録媒体とに関する。
【背景技術】
【０００２】
本発明においては、映像内容の概要を理解する上でポイントとなる重要な映像中のひとつひとつのシーン区間をダイジェストシーンと定義し、複数のダイジェストシーンを一つながりの映像としてまとめたものをダイジェスト映像として定義して、以降の説明を行う。
【０００３】
ダイジェスト映像の視聴は、短い時間で元の映像の主旨を簡単に理解できるところにメリットがあり、テレビ放送やインターネット上の映像配信サービス等でも多く利用されている映像の視聴形態である。
【０００４】
しかしながら、従来、ダイジェスト映像を作成する作業は人手に頼るところが多く、非常にコストのかかる作業であった。特に、ダイジェストとして相応しいシーンを探し出す作業に関しては、映像内容の主旨に応じて、いろいろな基準で選択される必要があり、専門のスキルも必要とされるものであった。
【０００５】
例えば、野球やサッカーのようなスポーツ映像の場合には、ホームランのシーンやゴールが決まったシーン等の得点に関係するシーン、また、討論会のようなトーク番組映像の場合には、重要なコメントが議論されているシーンを効率的に探し出すスキルが必要である。
【０００６】
さらには、ダイジェストシーンとして相応しいシーンを探し出した後、探し出した複数のシーン区間を編集により予め決められた短い時間内に収まるように区間の微調整を行う必要もあり、特にライブスポーツ番組中継の中で、ダイジェスト映像を配信するようなサービスを行う場合には、ダイジェスト映像としての内容、長さ等について、放送サービスとして相応しい品質を備えたものを短い時間の間に作成しなければならず、作成者の精神的な疲労感、負担も大きいものであった。
【０００７】
このようなダイジェスト映像の作成コスト問題に対し、従来までに、ダイジェスト映像を自動的に作成する技術が下記の非特許文献１等で提案されている。
【０００８】
この非特許文献１では、映像中の音の情報に着目したダイジェスト映像の自動作成方法が提案されている。映像内容にあまり依存せず、ダイジェストシーンとして相応しいシーンには音声レベルが極端に大きかったり、逆に小さかったりという、他の音とは異なる特徴を持っているという仮説に基づく方法である。
【０００９】
非特許文献１には、この仮説についての実験結果が示されており、特にスポーツ映像については、非常に高い性能を示す技術であることが確認されている。
【非特許文献１】日高浩太，水野理，中嶌信弥,"音声強調に着目したマルチメディアコンテンツ要約技術,"電子情報通信学会  情報科学技術フォーラム FIT2002
【発明の開示】
【発明が解決しようとする課題】
【００１０】
確かに、非特許文献１で提案するダイジェスト映像の自動作成方法は非常に高い性能を示す有効な技術である。
【００１１】
しかしながら、この提案技術によるダイジェスト映像の作成方法では、放送サービス等のダイジェスト映像を作成する場合のように、多数の人が場合によっては対価を支払って視聴するときに要求される、意味的に重要なシーンを確実に含んでおり、内容も元の映像の主旨が簡潔に理解できるようなものとなるダイジェスト映像を作成する場合に対して、作業コストの問題が十分には解決されない、という問題点が残る。
【００１２】
非特許文献１の提案技術は、ダイジェスト映像を自動的に作成できるということで、ダイジェスト映像の作成にかかる時間の短縮を図るという面では非常に効果があるが、作成されるダイジェスト映像のシーン内容については、音等の映像特徴のみが利用されたものであるため、映像内容の意味的なところまで考慮されたものではない。
【００１３】
このことから、非特許文献１の提案技術で自動作成されたダイジェスト映像には、映像制作者の意図に合致したダイジェストシーンが全て漏れなく含まれない場合もでてくる。
【００１４】
例えば、野球の試合の映像でホームランのシーンは球場内の歓声音やテレビ番組であれば実況音声が他のシーンに比べて大きいレベルとなるため、非特許文献１の提案技術のような自動的にダイジェストシーンを作成する方法でも漏れなく選択される。しかしながら、満塁時の投球前のピッチャーやバッターの表情のシーン等、音レベルとしては特に特徴がないようなシーンもダイジェストとして含めたい場合、このようなシーンは自動的には選択されない。
【００１５】
すなわち、非特許文献１の提案技術では、結果として、自動的に作成されるダイジェストシーンとは別に、他にダイジェストシーンとして相応しいシーンがないかを手作業で探したり、さらには、その手作業で選択したダイジェストシーンと自動的に選択されたダイジェストシーンのシーン区間を調整して、決められた時間内に収まった映像として制作する必要があり、やはり作業コストがかかるという問題点は残ったままである。特に、ライブ番組やスポーツ番組の中継等、短い時間でダイジェスト映像を用意しなければならない場合には、非特許文献１の提案技術だけでは十分に問題を解決できない。
【００１６】
本発明は、以上の点を考慮してなされたもので、入力した映像の中から特定のシーンを選択してダイジェスト映像を作成する際に、シーン内容として意味的にもダイジェストシーンとして相応しい映像中のシーンを含み、且つ、ダイジェスト映像として予め決められた時間内に収めた映像の作成を従来技術よりも効率的に実行できるようにする新たなダイジェスト映像作成技術の提供を目的とする。
【課題を解決するための手段】
【００１７】
この目的を達成するために、本発明のダイジェスト映像作成装置は、入力した映像のダイジェスト映像を作成する処理を行うために、（１）入力した映像中の任意の単数または複数のシーン区間をダイジェストシーン候補として選択する選択部と、（２）入力した映像からダイジェストらしさを示すダイジェスト特徴量を取得する取得部と、（３）作成するダイジェスト映像の時間長と選択部で選択されたダイジェストシーン候補の合計時間長とを比較して、その２つが一致しない場合には、その２つが一致することになるようにと、取得部で取得されたダイジェスト特徴量を使って、入力した映像の中から新たなシーン区間部分を選択して追加するか、そのダイジェストシーン候補の中から削除するシーン区間部分を選択して削除することでダイジェストシーンを定義し、一方、その２つが一致する場合には、選択部で選択されたダイジェストシーン候補をそのままダイジェストシーンとして定義する定義部と、（４）定義部で定義されたダイジェストシーンを、入力した映像のダイジェスト映像として出力する出力部とを備えるように構成する。
【００１８】
ここで、以上の各処理手段はコンピュータプログラムでも実現できるものであり、このコンピュータプログラムは、適当なコンピュータ読み取り可能な記録媒体に記録して提供されたり、ネットワークを介して提供され、本発明を実施する際にインストールされてＣＰＵなどの制御手段上で動作することにより本発明を実現することになる。
【００１９】
このように構成される本発明のダイジェスト映像作成装置では、映像を入力すると、予め決められた方法を用いて、入力した映像中の任意の単数または複数のシーン区間をダイジェストシーン候補として選択し、さらに、予め決められた方法を用いて、入力した映像からダイジェストらしさを示すダイジェスト特徴量を自動的に取得する。
【００２０】
続いて、作成するダイジェスト映像の時間長と、選択したダイジェストシーン候補の合計時間長とを比較する。
【００２１】
この比較により、選択したダイジェストシーン候補の合計時間長が作成するダイジェスト映像の時間長よりも短いことを判断する場合には、取得したダイジェスト特徴量を利用した予め決められた方法を用いて、選択したダイジェストシーン候補と合わせた合計時間長が作成するダイジェスト映像の時間長と同じになるようにと、入力した映像の中から新たなシーン区間部分を選択して、その選択した新たなシーン区間部分と選択したダイジェストシーン候補とを合わせてダイジェストシーンとして定義する。
【００２２】
一方、この比較により、選択したダイジェストシーン候補の合計時間長が作成するダイジェスト映像の時間長よりも長いことを判断する場合には、取得したダイジェスト特徴量を利用した予め決められた方法を用いて、選択したダイジェストシーン候補から減ずる合計時間長が作成するダイジェスト映像の時間長と同じになるようにと、選択したダイジェストシーン候補の中から削除するシーン区間部分を選択して削除し、それにより残されたシーン区間をダイジェストシーンとして定義する。
【００２３】
一方、この比較により、選択したダイジェストシーン候補の合計時間長と作成するダイジェスト映像の時間長とが同じであることを判断する場合には、選択したダイジェストシーン候補をそのままダイジェストシーンとして定義する。
【００２４】
そして、このようにしてダイジェストシーンを定義すると、その定義したダイジェストシーンを、入力した映像のダイジェスト映像として出力する。
【発明の効果】
【００２５】
このようにして、本発明によれば、ダイジェスト作成対象の映像の中から、予め決められた任意の方法により、ダイジェスト映像として含めたいシーンを選択することができるようになる。
【００２６】
これにより、ユーザは、例えば手作業によって、意味的に重要であり、且つ、ダイジェスト映像に含めたいシーンを確実に選択することが可能である。
【００２７】
本発明によれば、更に、作成したいダイジェスト映像の時間長の値を予め設定しておき、その値と任意の方法により選択したダイジェスト映像として相応しい意味的に重要なシーン区間の合計時間長とを比較し、その比較結果によって、シーン区間を更に追加したり、逆に一度選択したシーン区間の中から部分的にシーン区間を削除したりして、ダイジェスト映像の時間長が予め設定した値とちょうど同じになるようにダイジェストシーン区間を定義することができるようになる。さらに、この処理については、ダイジェスト特徴量を利用した予め決められた方法により瞬時に自動的に実行することが可能である。
【００２８】
これらのことから、本発明によれば、映像の中から特定のシーンを選択してダイジェスト映像を作成する際に、意味的に重要なシーン区間を確実に含み、かつ、ダイジェスト映像としての決められた時間長に収まった映像を短時間に効率的に作成することができるようになる。
【００２９】
従って、本発明によれば、従来技術よりも作業コストをかけずに簡単に放送サービス等で必要な品質を備えたダイジェスト映像を作成することが可能になる。特に、ライブ番組やスポーツ番組の中継の途中でダイジェスト映像を作成しなければならない等、短い時間でサービス品質を十分に備えたダイジェスト映像を作成する必要がある際には、映像制作者の負担を抑えることができ、作業コスト低減の面で大きな効果をもたらす。
【発明を実施するための最良の形態】
【００３０】
以下、本発明の実施の形態について、図面を参照しながら説明する。
【００３１】
図１に、本発明により構成されるダイジェスト映像作成装置１の装置構成の一例を図示する。
【００３２】
この図に示すように、本発明のダイジェスト映像作成装置１は、映像入力部１０と、映像格納部１１と、ダイジェストシーン候補選択部１２と、ダイジェストシーン候補格納部１３と、ダイジェスト特徴量取得部１４と、ダイジェスト特徴量格納部１５と、ダイジェストシーン区間定義部１６と、ダイジェスト映像格納部１７と、ダイジェスト映像出力部１８とを備える。
【００３３】
図１中に示す映像入力部１０は、映像を入力して、映像格納部１１に格納する処理を行うものである。
【００３４】
具体的には、コンピュータ用の映像のキャプチャボードと、コンピュータ上のメモリと、ハードディスクとにより実現可能である。例えば、ＶＨＳ形式の映像信号を映像のキャプチャボードでディジタイズしながら取り込み、取り込んだディジタルデータをメモリやハードディスクに書き込むことで実現可能である。
【００３５】
図１中に示すダイジェストシーン候補選択部１２は、予め決められた方法を用いて、映像入力部１０で入力された映像中の任意の単数または複数のシーン区間をダイジェストシーン候補として選択して、その情報を、図２に示すようなデータ構造を持つダイジェストシーン候補格納部１３に格納する処理を行うものである。
【００３６】
なお、図２では省略しているが、ダイジェストシーン候補格納部１３には、ダイジェストシーン候補選択部１２で選択されたシーン区間の合計時間長ｔがダイジェストシーン候補選択部１２により算出されて格納されていることがある。
【００３７】
図３に、このダイジェストシーン候補選択部１２の処理の具体的な処理イメージの一例を示す。ここで、図３は、野球番組中のシーン時間遷移の一例の模式図を示したものである。
【００３８】
この処理イメージでは、「勝ち越しホームランのシーン」、及び「逆転のランナータッチアウトのシーン」がそれぞれダイジェストシーン候補１、２として選択されたことを示している。この際、両シーンの番組中の開始時間、終了時間を記録することで、ダイジェストシーン候補を選択することができる。
【００３９】
ダイジェストシーン候補を選択するための予め決められた方法の一例として、ノンリニアディジタル映像編集機等の映像編集機能を備えたコンピュータで映像シーン内容を参照し、手作業でダイジェストとして相応しいシーン区間の開始点、終了点を記録することが実現可能な手段として挙げられる。
【００４０】
図１中に示すダイジェスト特徴量取得部１４は、予め決められた方法を用いて、映像入力部１０で入力された映像からダイジェストらしさを示すダイジェスト特徴量を自動的に取得して、ダイジェスト特徴量格納部１５に格納する処理を行うものである。
【００４１】
このダイジェスト特徴量取得部１４の処理機能については、コンピュータハードウェア、及びメモリ上に展開したソフトウェアで予め決められたロジックを実装することで実現可能である。例えば、非特許文献１の提案技術を実装したコンピュータ上のソフトウェアで実現可能である。
【００４２】
図４に、ダイジェスト特徴量取得部１４で取得されるダイジェスト特徴量の模式図を示す。
【００４３】
ダイジェスト特徴量とは、映像中の時間情報に対応付いた値、あるいはベクトルであり、図４は、映像中の個々の時間とその時間に対応するダイジェスト特徴量の値をグラフで示した図である。非特許文献１の提案技術によると、音のレベル等が高いシーン部分をダイジェストとして相応しいシーンとして選択し、ダイジェスト特徴量としても高い値を持つ部分としてダイジェスト特徴量を計算することが可能である。図４では、映像中の時刻Ｔ１やＴ２のシーンはダイジェスト特徴量値が高いためダイジェストとして相応しいシーンとして判定されていることを示している。
【００４４】
図１中に示すダイジェストシーン区間定義部１６は、映像入力部１０で入力された映像と、ダイジェストシーン候補選択部１２で選択されたシーン区間の合計時間長ｔ及び各シーン区間の開始時間・終了時間と、ダイジェスト特徴量取得部１４で取得されたダイジェスト特徴量とを用いて、最終的に本発明によるダイジェスト映像作成装置１で出力されることになるダイジェスト映像に含まれるダイジェストシーンを定義するものである。
【００４５】
図５及び図６に、ダイジェストシーン区間定義部１６の実行する処理フローの一例を示す。
【００４６】
ダイジェストシーン区間定義部１６は、ダイジェスト映像の作成要求があると、図５及び図６の処理フローに示すように、先ず最初に、ステップ１０で、映像格納部１１から、映像入力部１０で入力された映像を読み込む。
【００４７】
続いて、ステップ１１で、本発明のダイジェスト映像作成装置１で最終的に出力することになるダイジェスト映像の時間長Ｔを予め決められた方法を用いて入力する。これは、例えば、グラフィカルユーザインタフェースを備えたコンピュータ上のソフトウェアを利用し、ソフトウェア利用者が手作業で入力することで実現可能である。
【００４８】
続いて、ステップ１２で、ダイジェストシーン候補格納部１３から、ダイジェストシーン候補選択部１２で選択されたシーン区間の合計時間長ｔ及び各シーン区間の開始時間・終了時間を読み込む。これは、ダイジェストシーン候補選択部１２で選択されたシーン区間の合計時間長ｔ及び各シーン区間の開始時間・終了時間の読み込み処理をコンピュータメモリ上のソフトウェアとしてロジックを実装することで実現可能である。
【００４９】
なお、ダイジェストシーン候補格納部１３に合計時間長ｔが格納されていない場合には、ダイジェストシーン候補格納部１３から読み込んだ各シーン区間の開始時間・終了時間に従って各シーン区間の時間長を求めて、それを合計することで、ダイジェストシーン候補選択部１２で選択されたシーン区間の合計時間長ｔを算出することになる。
【００５０】
続いて、ステップ１３で、ダイジェスト特徴量格納部１５から、ダイジェスト特徴量取得部１４で取得されたダイジェスト特徴量を読み込む。これは、ダイジェスト特徴量取得部１４で取得されたダイジェスト特徴量を読み込む処理をコンピュータ上のソフトウェアとして実装することで実現可能である。
【００５１】
続いて、ステップ１４で、ステップ１１で入力したダイジェスト映像の時間長Ｔの値がステップ１２で読み込んだシーン区間の合計時間長ｔの値よりも大きいのかどうかを判断する。
【００５２】
この判断処理に従って、時間長Ｔの値が合計時間長ｔの値より大きくないことを判断するときは、ステップ１５に進んで、合計時間長ｔの値が時間長Ｔの値よりも大きいのかどうかを判断する。
【００５３】
このステップ１４，１５の判断処理に従って、合計時間長ｔの値が時間長Ｔの値よりも大きいことを判断するときにはステップ１６に進み、時間長Ｔの値が合計時間長ｔの値より大きいことを判断するときにはステップ１８に進み、時間長Ｔの値と合計時間長ｔとが等しいことを判断するときにはステップ２０に進む。
【００５４】
ステップ１８は、Ｔ＞ｔの場合に行う処理であって、ダイジェスト特徴量を用いた予め決められた方法を使って、入力映像の中から追加のダイジェストシーンを選択し、これをダイジェストシーン候補に追加することで最終的なダイジェストシーンを定義する。そして、続くステップ１９で、この定義したダイジェストシーンで構成されるダイジェスト映像をダイジェスト映像格納部１７に格納して、ダイジェストシーン区間定義部１６はその処理を終了する。
【００５５】
図７に、このステップ１８の処理の一例を図示する。
【００５６】
この図７では、図３の野球映像からダイジェストシーン候補として１分３０秒分のシーンが選択されているのに対し、最終的なダイジェスト映像としては２分の時間長のものを制作する場合を想定したものである。
【００５７】
この場合、最終的なダイジェスト映像の時間長を２分に合わせるために、例えば、ダイジェスト特徴量の時間分布の中から既存のダイジェストシーン候補（勝ち越しホームランのシーン、逆転のランナータッチアウトのシーン）のシーン区間を除いた範囲を選択対象として、ダイジェスト特徴量の値が高いシーン区間３０秒分を追加シーンとして選択する。そして、最終的に、ダイジェストシーン候補のシーン区間１分３０秒と追加シーン区間３０秒とを足し合わせた２分間の映像をダイジェスト映像として定義する。
【００５８】
一方、ステップ１６は、Ｔ＜ｔの場合に行う処理であって、ダイジェスト特徴量を用いた予め決められた方法を使って、ダイジェストシーン候補中のシーン区間の中から部分的に削除すべきシーン区間を選択し、その削除後に残ったダイジェストシーン候補中のシーン区間を最終的なダイジェストシーンとして定義する。そして、続くステップ１７で、この定義したダイジェストシーンで構成されるダイジェスト映像をダイジェスト映像格納部１７に格納して、ダイジェストシーン区間定義部１６はその処理を終了する。
【００５９】
図８に、このステップ１６の処理の一例を図示する。
【００６０】
この図８では、図３の野球映像からダイジェストシーン候補として１分３０秒分のシーンが選択されているのに対し、最終的なダイジェスト映像としては１分の時間長のものを制作する場合を想定したものである。
【００６１】
この場合、最終的なダイジェスト映像の時間長を１分に合わせるために、例えば、ダイジェスト特徴量の時間分布中の既存のダイジェストシーン候補（勝ち越しホームランのシーン、逆転のランナータッチアウトのシーン）のシーン区間の範囲から、ダイジェスト特徴量の値が低いシーン区間として、勝ち越しホームランのシーン区間から２０秒分、逆転ランナーのタッチアウトのシーン区間から１０秒分を削除する。そして、最終的に、ダイジェストシーン候補のシーン区間１分３０秒からダイジェスト特徴量の値が低いシーン区間計３０秒分を削除したシーン区間をダイジェスト映像として定義する。
【００６２】
一方、ステップ２０は、Ｔとｔが同じ値の場合に行う処理であって、ダイジェストシーン候補選択部１２で選択されたシーン区間をそのまま本発明のダイジェスト映像作成装置１が出力する最終的なダイジェストシーンとして定義する。そして、続くステップ２１で、この定義したダイジェストシーンで構成されるダイジェスト映像をダイジェスト映像格納部１７に格納して、ダイジェストシーン区間定義部１６はその処理を終了する。
【００６３】
ここで、ステップ１４〜ステップ２１の処理については、いずれもコンピュータ上に各ステップのロジックをソフトウェアとして実装することで実現可能である。
【００６４】
このようにして、ダイジェスト映像格納部１７に格納されるダイジェスト映像を受けて、図１中に示すダイジェスト映像出力部１８は、ダイジェスト映像の出力要求があると、ダイジェスト映像格納部１７からダイジェスト映像を読み出して出力するように処理することになる。
【００６５】
このようにして、ダイジェストシーン区間定義部１６は、作成するダイジェスト映像の時間長Ｔとダイジェストシーン候補選択部１２で選択されたシーン区間の合計時間長ｔとを比較した結果に応じて、ステップ１６，１８，２０の処理を実行し、このダイジェストシーン区間定義部１６の実行する処理に従って、意味的に重要でダイジェストシーンとして相応しいシーン区間を優先的に含み、且つ、ダイジェスト映像として所望の映像長を持ったダイジェスト映像を短時間に効率的に作成することが可能となり、これにより、従来技術の問題点を解決することが可能となる。
【図面の簡単な説明】
【００６６】
【図１】本発明のダイジェスト映像作成装置の装置構成図である。
【図２】ダイジェストシーン候補格納部のデータ構造の説明図である。
【図３】ダイジェストシーン候補選択部の実行する処理の説明図である。
【図４】ダイジェスト特徴量の説明図である。
【図５】ダイジェストシーン区間定義部の実行する処理フローである。
【図６】ダイジェストシーン区間定義部の実行する処理フローである。
【図７】ダイジェストシーン区間定義部の実行する処理の説明図である。
【図８】ダイジェストシーン区間定義部の実行する処理の説明図である。
【符号の説明】
【００６７】
１    ダイジェスト映像作成装置
１０  映像入力部
１１  映像格納部
１２  ダイジェストシーン候補選択部
１３  ダイジェストシーン候補格納部
１４  ダイジェスト特徴量取得部
１５  ダイジェスト特徴量格納部
１６  ダイジェストシーン区間定義部
１７  ダイジェスト映像格納部
１８  ダイジェスト映像出力部
【図１】
2006148397.tif 000003
【図２】
2006148397.tif 000004
【図３】
2006148397.tif 000005
【図４】
2006148397.tif 000006
【図５】
2006148397.tif 000007
【図６】
2006148397.tif 000008
【図７】
2006148397.tif 000009
【図８】
2006148397.tif 000010